(57)【要約】【課題】第１ケーシングモジュールと、第２ケーシングモジュールと、バックプレーンモジュールと、を含む柔軟性モジュール化サーバーシャーシを提供する。【解決手段】第２ケーシングモジュールとバックプレーンモジュールが第１ケーシングモジュール内に設けられることが可能である。第１ケーシングモジュールは、第１外部ボックスと、第１外部ボックスと互いに締まりばめることが可能で、第１ケーシングモジュールの長さを調整するように、一方向に沿って第１外部ボックスに対して摺動できる第２外部ボックスと、を含む。【選択図】図２
2015177184.tif 000002
【特許請求の範囲】
【請求項１】
サーバーボックスを収納するための柔軟性モジュール化サーバーシャーシであって、
一方向に沿って配列する複数の第１固定孔を有する第１外側プレートを含む第１外部ボックスと、前記第１外部ボックスと互いに締まりばめ、前記方向に沿って前記第１外部ボックスに対して摺動でき、選択的に前記複数の第１固定孔の１つと互いに固定されることが可能である第２固定孔を有する第２外側プレートを含む第２外部ボックスと、を含む第１ケーシングモジュールと、
前記第１外部ボックス内に設けられ、複数の電源供給ユニットを含む第２ケーシングモジュールと、
前記第１外部ボックス内に設けられ、対向する複数のスロットを有する第１表面と前記第２ケーシングモジュールに向かい合い、前記電源供給ユニットに電気的に接続される第２表面を含むバックプレーンモジュールと、
を含み、
前記サーバーボックスは、前記第１ケーシングモジュール内に設けられ、前記複数のスロットの１つへのプラグインに適する柔軟性モジュール化サーバーシャーシ。
【請求項２】
前記第１ケーシングモジュールは、前記第１外部ボックス及び前記第２外部ボックス内に位置する内部ボックスを更に含み、互いに固定した前記第１外側プレートと前記第２外側プレートが前記内部ボックスの外壁面に固設される請求項１に記載の柔軟性モジュール化サーバーシャーシ。
【請求項３】
前記内部ボックスの内壁面が取り囲んで収容チャンネルを形成し、前記サーバーボックスが前記収容チャンネル内に設けられる請求項２に記載の柔軟性モジュール化サーバーシャーシ。
【請求項４】
前記第１ケーシングモジュールは、前記内部ボックスの内壁面に設けられたスライドレールを更に含み、前記サーバーボックスが前記収容チャンネルに沿って前記スライドレールにスライドして設けられる請求項３に記載の柔軟性モジュール化サーバーシャーシ。
【請求項５】
前記内部ボックスの前記方向における長さは、互いに固定した前記第１外側プレートと前記第２外側プレートとの前記方向における合計長さより小さい請求項２に記載の柔軟性モジュール化サーバーシャーシ。
【請求項６】
第１外部ボックスを提供することと、一方向に沿って前記第１外部ボックスに対して摺動できる、前記第１外部ボックスに締まりばめるための第２外部ボックスを提供することと、を含む第１ケーシングモジュールを組み立てる工程と、
対向する第１表面と複数のスロットを有し、前記各スロットがサーバーへの接続に適する第２表面を含むバックプレーンモジュールを、前記第１外部ボックス内に組み立てる工程と、
前記バックプレーンモジュールの前記第１表面に電気的に接続される複数の電源供給ユニットを含む第２ケーシングモジュールを、前記第１外部ボックス内に組み立てる工程と、
を含む柔軟性モジュール化サーバーシャーシの組立方法。
【請求項７】
前記第１外部ボックスは、前記方向に沿って配列する複数の第１固定孔を有する第１外側プレートを更に含み、前記第２外部ボックスは、第２固定孔を有する第２外側プレートを更に含み、前記第１外部ボックスと前記第２外部ボックスを締まりばめる前記工程は、
前記第２固定孔と前記第１固定孔の１つを選択的に固定する工程を更に含む請求項６に記載の柔軟性モジュール化サーバーシャーシの組立方法。
【請求項８】
前記第１ケーシングモジュールを組み立てる前記工程は、
内部ボックスを提供して、互いに固定した前記外側プレートと前記第２外側プレートを前記内部ボックスの外壁面に固設する工程を更に含む請求項７に記載の柔軟性モジュール化サーバーシャーシの組立方法。
【請求項９】
前記内部ボックスの内壁面が取り囲んで収容チャンネルを形成し、前記第１ケーシングモジュールを組み立てる前記工程は、
スライドレールを提供し、前記スライドレールを前記内部ボックスの内壁面に設け、前記サーバーボックスが前記収容チャンネルに沿って前記スライドレールにスライドして設けられる請求項８に記載の柔軟性モジュール化サーバーシャーシの組立方法。
【発明の詳細な説明】
【技術分野】
【０００１】
本発明は、サーバーシャーシ及びその組立方法に関し、特に、異なる長さのサーバーボックスを設けることができる柔軟性モジュール化サーバーシャーシ及びその組立方法に関する。
【背景技術】
【０００２】
現在、サーバーがますます幅広く適用されるようになり、企業又は家庭に関わらず、いずれもサーバーによって多量のファイルやビデオ情報を記憶することができる。従って、複数のサーバーの管理と配置は、無視できない問題となっている。従来、市販のサーバーの外観がボックスでもよいので、以下、サーバーボックスと呼ぶことにする。このサーバーボックスは、一般的に、一定の国際規格であり、例えば、１Ｕのサーバーボックスとは、１．７５インチの高さ及び１９インチの幅を有するものである。
【発明の概要】
【発明が解決しようとする課題】
【０００３】
しかしながら、従来の市場では、サーバーボックスの長さに対して、関連する規定がない。従って、様々なブランドのサーバーボックスでは、長さが異なる可能性がある。そして、異なる長さのサーバーボックスを収納するために、使用者は、各種の異なるサイズのサーバーシャーシを購買する必要があることがあるため、使用に不便である。
【課題を解決するための手段】
【０００４】
本発明の一技術態様は、１種のサーバーシャーシに複数種類のサーバーを搭載させることができる、長さ調整可能な柔軟性モジュール化サーバーシャーシ及びその組立方法に関する。
【０００５】
本発明の一実施例によれば、サーバーボックスを収納するための柔軟性モジュール化サーバーシャーシであって、一方向に沿って配列する複数の第１固定孔を有する第１外側プレートを含む第１外部ボックスと、第１外部ボックスと互いに締まりばめ、前記方向に沿って第１外部ボックスに対して摺動でき、選択的に複数の第１固定孔の１つと互いに固定されることが可能である第２固定孔を有する第２外側プレートを含む第２外部ボックスを含む第１ケーシングモジュールと、第１外部ボックス内に設けられ、複数の電源供給ユニットを含む第２ケーシングモジュールと、第１外部ボックス内に設けられ、対向する複数のスロットを有する第１表面と第２ケーシングモジュールに向かい合い、電源供給ユニットに電気的に接続される第２表面を含むバックプレーンモジュールと、を含み、サーバーボックスは、第１ケーシングモジュール内に設けられ、複数のスロットの１つへのプラグインに適する柔軟性モジュール化サーバーシャーシを提供する。
【０００６】
本発明の更に別の実施例によれば、更に、第１外部ボックスを提供する工程と、一方向に沿って第１外部ボックスに対して摺動できる、第１外部ボックスに締まりばめるための第２外部ボックスを提供する工程と、を含む第１ケーシングモジュールを組み立てる工程と、対向する第１表面と複数のスロットを有し、各スロットがサーバーへの接続に適する第２表面を含むバックプレーンモジュールを第１外部ボックス内に組み立てる工程と、バックプレーンモジュールの第１表面に電気的に接続される複数の電源供給ユニットを含む第２ケーシングモジュールを第１外部ボックス内に組み立てる工程と、を含む柔軟性モジュール化サーバーシャーシの組立方法を提供する。
【０００７】
以上のように、前記の実施例によれば、柔軟性モジュール化サーバーシャーシの第１ケーシングモジュールは第１外部ボックス及び第２外部ボックスを含んでもよく、第１外部ボックスの第１外側プレートと第２外部ボックスの第２外側プレートを固定することによって、第１ケーシングモジュールの長さを調整して、更に各種の異なる長さのサーバーボックスを収納することができる。
【図面の簡単な説明】
【０００８】
下記の添付図面の説明は、本発明及びそのメリットをより分かりやすくするためのものである。
【図１】本発明の一実施例における柔軟性モジュール化サーバーシャーシとサーバーボックスを示す分解図である。
【図２】本発明の一実施例における第１ケーシングモジュールを示す分解図である。
【図３】本発明の別の実施例における柔軟性モジュール化サーバーシャーシとサーバーボックスを示す分解図である。
【図４】本発明の更に別の実施例における柔軟性モジュール化サーバーシャーシとサーバーボックスを示す分解図である。
【図５】本発明のまた他の実施例における第１ケーシングモジュールを示す分解図である。
【図６】本発明の柔軟性モジュール化サーバーシャーシの組立方法の一実施例を示すフローチャートである。
【図７】本発明の第１ケーシングモジュールの組立方法の一実施例を示すフローチャートである。
【発明を実施するための形態】
【０００９】
以下、図面で本発明の複数の実施例を開示し、明らかに説明するために、多くの実際の細部を下記の叙述で合わせて説明する。しかしながら、理解すべきなのは、これらの実際の細部が、本発明を制限するためのものではない。つまり、本発明の一部の実施例においては、これらの実際の細部は、必要ないものである。また、図面を簡略化するために、ある従来慣用の構造及び素子は、図面において簡単で模式的に示される。
【００１０】
以下の実施例において、サーバーボックスは、直方体であってもよく、その高さが一般的に一定である。例えば、１Ｕのサーバーボックスでは、高さが１．７５インチである。サーバーボックスは、異なる実施例において、幅及び長さが異なることがある。
【００１１】
以下の実施例における柔軟性モジュール化サーバーシャーシは、サーバーシャーシの２つの外部ボックスの接続する部位を切り替えることによって、異なる長さのサーバーボックスを収納することができる。図１を参照されたい。図１は、本発明の一実施例における柔軟性モジュール化サーバーシャーシ１０とサーバーボックス２０を示す分解図である。柔軟性モジュール化サーバーシャーシ１０は、複数のサーバーボックス２０を収納するためのものであり、第１ケーシングモジュール１００と、第２ケーシングモジュール２００と、バックプレーンモジュール３００と、を含む。
【００１２】
複数のサーバーボックス２０のそれぞれが高さＨ、幅Ｗ及び長さＬ１を有する直方体の形状であってもよい。複数の異なる実施例のそれぞれにおいて、高さＨがほぼ一定であるが、長さＬ１及び幅Ｗがメーカーによって変わる可能性がある。本実施例では、第１ケーシングモジュール１００の長さＬ２を調整できることで、第１ケーシングモジュール１００に異なる長さＬ１のサーバーボックス２０を収納させることができる。
【００１３】
図２を参照されたい。図２は、本発明の一実施例における第１ケーシングモジュール１００を示す分解図である。この分解図から、第１ケーシングモジュール１００の長さＬ２の調整方式を分かることが可能である。図面に示すように、第１ケーシングモジュール１００は、第１外部ボックス１０１と、第２外部ボックス１０２と、を含む。第１外部ボックス１０１は、それぞれがＸ方向に沿って配列可能な複数の第１固定孔１０１ｂを有する４つの第１外側プレート１０１ａを含んでもよい。前記Ｘ方向は、図１における長さＬ２の方向にほぼ平行である。
【００１４】
同様に、第２外部ボックス１０２は、４つの第２外側プレート１０２ａを含み、４つの第２外側プレート１０２ａのそれぞれが複数の第２固定孔１０２ｂを有し、それらの複数の第２固定孔１０２ｂの１つが選択的に１つの第１固定孔１０１ｂと互いに固定される。このように、第２外部ボックス１０２が第１外部ボックス１０１と互いに締まりばめることができる。また、第２外部ボックス１０２がＸ方向に沿って第１外部ボックス１０１に対して摺動して、第１固定孔１０１ｂと第２固定孔１０２ｂとのロック位置を切り替えることで、第１ケーシングモジュール１００の長さＬ２を変えることができる。
【００１５】
例えば、図２において、それぞれ５つの第１固定孔１０１ｂ及び５つの第２固定孔１０２ｂを含む。図２における第１外側プレート１０１ａの最も左側の第１固定孔１０１ｂと第２外側プレート１０２ａの最も右側の第２固定孔１０２ｂを互いに固定すると、最大長さの第１ケーシングモジュール１００を得ることができる。本実施例において、リベット１０７で第１固定孔１０１ｂ及び第２固定孔１０２ｂに差し込まれることによって、第１外側プレート１０１ａと第２外側プレート１０２ａをロックすることができるが、これに制限されない。他の実施例において、異なるロック部品によって第１外側プレート１０１ａと第２外側プレート１０２ａを固定することもできる。
【００１６】
図１と図２を併せて参照されたい。柔軟性モジュール化サーバーシャーシ１０は、第１外部ボックス１０１内に設けられることが可能であるバックプレーンモジュール２００を更に含む。バックプレーンモジュール２００は、対向する第１表面２０１と第２表面２０２を含む。第１表面２０１が第１ケーシングモジュール１００に向かい合ってもよく、第２表面２０２が第２ケーシングモジュール３００に向かい合ってもよい。第２ケーシングモジュール３００は、複数の電源供給ユニット３０１を含み、第２表面２０２が第２ケーシングモジュール３００の複数の電源供給ユニット３０１のそれぞれに電気的に接続されることができる。
【００１７】
図１を参照されたい。本実施例において、第１ケーシングモジュール１００の長さＬ２を確定してから、バックプレーンモジュール２００及び第２ケーシングモジュール３００を第１ケーシングモジュール１００の第１外部ボックス１０１内に設ける。バックプレーンモジュール２００の第１表面２０１に複数のスロット２１０を有し、バックプレーンモジュール２００の第１表面２０１が第１外部ボックス１０１に位置合わせて第１外部ボックス１０１内に設けられる。このように、サーバーボックス２０は、外部から第１ケーシングモジュール１００内に設けられる時、それぞれのサーバーボックス２０が複数のスロット２１０の１つにプラグインされることが可能で、且つ第２ケーシングモジュール３００がバックプレーンモジュール３００によってサーバーボックス２０に給電することができる。
【００１８】
図２を参照されたい。本実施例において、第１ケーシングモジュール１００は、内部ボックス１０３を更に含む。内部ボックス１０３が第１外部ボックス１０１及び第２外部ボックス１０２内に位置し、第１外部ボックス１０１の第１外側プレート１０１ａと第２外部ボックス１０２の第２外側プレート１０２ａが互いに固定された後（即ち、第１ケーシングモジュール１００の長さＬ２が確定された後）、第１外側プレート１０１ａと第２外側プレート１０２ａが内部ボックス１０３の外壁面１０３ａに固設されることができる。具体的に、互いに固定した第１外側プレート１０１ａと第２外側プレート１０２ａを内部ボックス１０３の外壁面１０３ａに固設するように、内部ボックス１０３の外壁面１０３ａにスナップイン機構又はロック機構等（図示せず）を有してもよい。
【００１９】
一部の実施例において、内部ボックス１０３の内壁面１０３ｂが取り囲んで収容チャンネルＰを形成することができ、サーバーボックス２０が収容チャンネルＰ内に設けられることができる。一実施例において、サーバーボックス２０の出入りに寄与するように、収容チャンネルＰの開口Ｐ１が矩形であってもよい。一変更実施例において、第１ケーシングモジュール１００は、複数のスライドレール１０４を更に含み、複数のスライドレール１０４のそれぞれが内部ボックス１０３の内壁面１０３ｂに設けられることが可能である。具体的に、内部ボックス１０３の内壁面１０３ｂは、係止溝（図示せず）を有してもよく、スライドレール１０４が係止溝にスライドして設けられることが可能である。別の変更実施例において、まず、スライドレール１０４を内部ボックス１０３の内壁面１０３ｂに設けてから、第１外側プレート１０１ａと第２外側プレート１０２ａを内部ボックス１０３の外壁面１０３ａに固設することが可能である。
【００２０】
図１と図２を併せて参照されたい。一実施例において、内部ボックス１０３は、Ｘ方向における長さＬ３が互いに固定した第１外側プレート１０１ａと第２外側プレート１０２ａとのＸ方向における合計長さＬ４より短い。具体的に、第１外側プレート１０１ａと第２外側プレート１０２ａとのＸ方向における合計長さＬ４は、第１ケーシングモジュール１００のＸ方向における長さＬ２に相当する。内部ボックス１０３の長さＬ３は、第２外側プレート１０２ａの長さＬ５に相当し、又はそれよりやや大きくなる。第２ケーシングモジュール３００とバックプレーンモジュール２００との合計長さＬ６にＬ７を足すと、合計長さＬ４から第２外側プレート１０２ａの長さＬ５を引くものに相当する。このように、バックプレーンモジュール２００、第２ケーシングモジュール３００及びサーバーボックス２０が第１ケーシングモジュール１００内に被覆されて、バックプレーンモジュール２００、第２ケーシングモジュール３００及びサーバーボックス２０内部における電子部品を保護することができる。
【００２１】
前記の実施例から、柔軟性モジュール化サーバーシャーシ１０は、少なくともスライドレール１０４、第１ケーシングモジュール１００、バックプレーンモジュール２００及び第２ケーシングモジュール３００という４つのモジュール化部品に分けられ、スライドレール１０４、バックプレーンモジュール２００及び第２ケーシングモジュール３００が第１ケーシングモジュール１００内に設けられ、異なる長さＬ１のサーバーボックス２０を収納するように、第１ケーシングモジュール１００の長さＬ２が調整可能であるように構成される。また、スライドレール１０４、バックプレーンモジュール２００及び第２ケーシングモジュール３００が実際の必要に応じて切り替えられると、新しいスライドレール１０４、バックプレーンモジュール２００又は第２ケーシングモジュール３００の長さが元のスライドレール１０４、バックプレーンモジュール２００又は第２ケーシングモジュール３００長さと異なる場合、依然として第１ケーシングモジュール１００の長さＬ２を調整することによって、新しいスライドレール１０４、バックプレーンモジュール２００又は第２ケーシングモジュール３００を収納することができる。
【００２２】
注意すべきなのは、前記実施例におけるスライドレール３００は、サーバーボックス２０の実際の装着必要に応じて、内部ボックス１０３の内壁面１０３ｂの異なる位置に設けられることが可能である。例えば、図１を参照されたい。サーバーボックス２０が全幅横型のタイプに属すると、スライドレール１０４が内部ボックス１０３の内壁面１０３ｂにおける、方向Ｚに垂直である２つの壁面に設けられることができる。同時に、バックプレーンモジュール２００の複数のスロット２１０として、方向Ｚに並行する配列方式を選択することもできる。次に、図３を参照されたい。別の実施例において、サーバーボックス２０が縦型のタイプに属すると、スライドレール１０４が内部ボックス１０３の内壁面１０３ｂにおける、Ｙ方向に垂直である２つの壁面に設けられることができる。同時に、バックプレーンモジュール２００の複数のスロット２１０として、縦型のスロット２１０であるものを選択することもでき、その配列方式がＹ方向に平行である。次に、図４を参照されたい。別の実施例において、サーバーボックス２０が半幅横型のタイプに属すると、その幅Ｗが図１の実施例におけるサーバーボックス２０の約半分である。この場合、バックプレーンモジュール２００の複数のスロット２１０が２列の方向Ｚに平行である配列方式であってもよい。
【００２３】
上記実施例から、柔軟性モジュール化サーバーシャーシ１０をスライドレール１０４、第１ケーシングモジュール１００、バックプレーンモジュール２００及び第２ケーシングモジュール３００等の部品に分けることによって、柔軟性モジュール化サーバーシャーシ１０の使用柔軟性を増大させ、各種のサイズのサーバーボックスを収納することができる。
【００２４】
次に、図５を参照されたい。図５は、本発明の更に別の実施例における第１ケーシングモジュール４００を示す分解図である。本実施例が図１の実施例との最大の異なりは、本実施例における第１外部ボックス４０１と第２外部ボックス４０２が矩形の筐体であり、図１の実施例における第１外部ボックス１０１と第２外部ボックス１０２はそれぞれ４つの分離した第１外側プレート体１０１ａと第２外側プレート体１０２ａからなる。簡単に言えば、本実施例における第１外部ボックス４０１の第１外側プレート体４０１ａは、組み合せされた状態となり、第２外部ボックス４０２の第２外側プレート体４０２ａも組み合せされた状態となり、第１外側プレート体４０１ａ及び第２外側プレート体４０２ａが一体成形された矩形の筐体であってもよい。このように、使用者は、第２外側プレート体４０２ａを第１外側プレート体４０１ａに嵌め込んで、更にリベット１０７でロックを必要とする第１固定孔４０１ｂ及び第２固定孔４０２ｂを選択することによって、第１ケーシングモジュール４００の長さを調整する効果に達成することができる。
【００２５】
次に、図６を参照されたい。図６は、本発明の柔軟性モジュール化サーバーシャーシの組立方法の一実施例を示すフローチャートである。まず、第１ケーシングモジュールの長さを確定するように、先に第１ケーシングモジュールを組み立てる工程Ｓ１１を実行してもよい。図７に示す第１ケーシングモジュールの組立方法の一実施例のフローチャート、更に図２及び図５を併せて参照するように、第１ケーシングモジュールは、以下の組立工程を更に含む。まず、第１外部ボックス及び第２外部ボックスを提供する工程Ｓ１１１を実行する。図２に示すように、第１外部ボックス１０１は、複数の第１外側プレート１０１ａを含んでスプライシングしてなり、又は図５に示すように、第１外部ボックス４０１の第１外側プレート４０１ａが単一の矩形の筐体であってもよい。同様に、第２外部ボックス４０２は、１つ又は複数の第２外側プレート４０２ａを含んでもよい。第１外側プレート１０１又は４０１は、複数の第１固定孔１０１ａ又は４０１ａを含んでもよく、第２外側プレート１０２又は４０２は、少なくとも１つの第２固定孔１０２ａ又は４０２ａを含んでもよく、また、複数の第１固定孔１０１ａ又は４０１ａがＸ方向に沿って配列することができる。
【００２６】
次に、第１外部ボックスと第２外部ボックスを締まりばめる工程Ｓ１１２を実行する。詳しくは、図５を参照されたい。第２外部ボックス４０２は、Ｘ方向に沿って第１外部ボックス４０１に対して摺動して、第２固定孔４０２ａと複数の第１固定孔４０１ａの１つをロックすることによって第１ケーシングモジュール１００の長さＬ１を確定することができる。次に、内部ボックスを提供する工程Ｓ１１３を実行する。図１と図２を併せて参照されたい。内部ボックス１０３の内壁面１０３ａが取り囲んでサーバーボックス２０を収容するための収容チャンネルＰを形成することができる。次に、スライドレールを提供して、スライドレールを内部ボックスの内壁面に設ける工程Ｓ１１４を実行する。このように、サーバーボックスは、収容チャンネルに沿ってスライドレールにスライドして設けられることが可能である。次に、互いに固定した第１外側プレートと第２外側プレートを内部ボックスの外壁面に固設する工程Ｓ１１５を実行する。このように、図６の工程Ｓ１１の第１ケーシングモジュールの組立を完成することができる。
【００２７】
次に、図６を参照し続け、工程Ｓ１１を完成した後、バックプレーンモジュールを第１外部ボックス内に組み立てる工程Ｓ１２を実行してもよい。バックプレーンモジュールは、サーバーボックスによって切り替えられることができ、図１、図３及び図４に示すようなものを参照されたく、ここで説明を省略する。次に、第２ケーシングモジュールを第１外部ボックス内に組み立てる工程Ｓ１３を実行してもよい。第２ケーシングモジュールは、電力がバックプレーンモジュールによってサーバーボックスに伝達されることが可能である複数の電源供給ユニットを含んでもよい。最後、柔軟性モジュール化サーバーシャーシの組立を完成した後、使用者は、サーバーボックスを柔軟性モジュール化サーバーシャーシにおける収容チャンネルに装設することができる。
【００２８】
以上のように、上記実施例は、柔軟性モジュール化サーバーシャーシを、例えば第１ケーシングモジュール、第２ケーシングモジュール、バックプレーンモジュール及びスライドレール等のような複数のモジュール化された部品に分け、第１ケーシングモジュールの長さが調整可能であるため、各種の異なる長さサイズのサーバーボックスを収納することができるように構成する柔軟性モジュール化サーバーシャーシ及び柔軟性モジュール化サーバーシャーシの組立方法が開示される。また、前記実施例における柔軟性モジュール化サーバーシャーシは、装設されたサーバーボックスによって、モジュール化部品のそれぞれも実際の使用要求に応じて切り替えられることができ、異なるサーバーシャーシを追加して購入することなく、異なるサイズ又は仕様のサーバーボックスを収容し、使用上の利便性を備え、使用者の取得原価を節約することができる。
【００２９】
本発明を実施形態で前述の通り開示したが、これは本発明を限定するためのものではなく、当業者であれば、本発明の精神と範囲から逸脱しない限り、多様の変更や修正を加えることができる。従って、本発明の保護範囲は、特許請求の範囲で指定した内容を基準とする。
【符号の説明】
【００３０】
１０  柔軟性モジュール化サーバーシャーシ
２０  サーバーボックス
１００、４００  第１ケーシングモジュール
１０１、４０１  第１外部ボックス
１０１ａ、４０１ａ  第１外側プレート
１０１ｂ、４０１ｂ  第１固定孔
１０２、４０２  第２外部ボックス
１０２ａ、４０２ａ  第２外側プレート
１０２ｂ、４０２ｂ  第２固定孔
１０３  内部ボックス
１０３ａ  外壁面
１０３ｂ  内壁面
１０４  スライドレール
１０７  リベット
２００  バックプレーンモジュール
２０１  第１表面
２０２  第２表面
２１０  スロット
３００  第２ケーシングモジュール
３０１  電源供給ユニット
Ｈ  高さ
Ｗ  幅
Ｌ１、Ｌ２、Ｌ３、Ｌ４、Ｌ５、Ｌ６、Ｌ７  長さ
Ｐ  収容チャンネル
Ｐ１  開口
Ｘ、Ｙ、Ｚ  方向
Ｓ１１〜Ｓ１３、Ｓ１１１〜Ｓ１１４  工程流れ
【図１】
2015177184.tif 000003
【図２】
2015177184.tif 000004
【図３】
2015177184.tif 000005
【図４】
2015177184.tif 000006
【図５】
2015177184.tif 000007
【図６】
2015177184.tif 000008
【図７】
2015177184.tif 000009
【手続補正書】
【提出日】平成27年5月1日(2015.5.1)
【手続補正１】
【補正対象書類名】特許請求の範囲
【補正対象項目名】全文
【補正方法】変更
【補正の内容】
【特許請求の範囲】
【請求項１】
サーバーボックスを収納するための柔軟性モジュール化サーバーシャーシであって、
一方向に沿って配列する複数の第１固定孔を有する第１外側プレートを含む第１外部ボックスと、前記第１外部ボックスと互いに締まりばめ、前記一方向に沿って前記第１外部ボックスに対して摺動でき、選択的に前記複数の第１固定孔の１つと互いに固定されることが可能である第２固定孔を有する第２外側プレートを含む第２外部ボックスと、を含む第１ケーシングモジュールと、
前記第１外部ボックス内に設けられ、複数の電源供給ユニットを含む第２ケーシングモジュールと、
前記第１外部ボックス内に設けられ、対向する複数のスロットを有する第１表面と前記第２ケーシングモジュールに向かい合い、前記電源供給ユニットに電気的に接続される第２表面を含むバックプレーンモジュールと、
を含み、
前記サーバーボックスは、前記第１ケーシングモジュール内に設けられ、前記複数のスロットの１つへのプラグインに適する柔軟性モジュール化サーバーシャーシ。
【請求項２】
前記第１ケーシングモジュールは、前記第１外部ボックス及び前記第２外部ボックス内に位置する内部ボックスを更に含み、互いに固定した前記第１外側プレートと前記第２外側プレートが前記内部ボックスの外壁面に固設される請求項１に記載の柔軟性モジュール化サーバーシャーシ。
【請求項３】
前記内部ボックスの内壁面が取り囲んで収容チャンネルを形成し、前記サーバーボックスが前記収容チャンネル内に設けられる請求項２に記載の柔軟性モジュール化サーバーシャーシ。
【請求項４】
前記第１ケーシングモジュールは、前記内部ボックスの内壁面に設けられたスライドレールを更に含み、前記サーバーボックスが前記収容チャンネルに沿って前記スライドレールにスライドして設けられる請求項３に記載の柔軟性モジュール化サーバーシャーシ。
【請求項５】
前記内部ボックスの前記一方向における長さは、互いに固定した前記第１外側プレートと前記第２外側プレートとの前記一方向における合計長さより小さい請求項２に記載の柔軟性モジュール化サーバーシャーシ。
【請求項６】
第１外部ボックスを提供することと、第２外部ボックスを提供することと、前記第２外部ボックスを一方向に沿って前記第１外部ボックスに対して摺動させ、前記第１外部ボックスに設けられた複数の第１固定孔の１つと前記第２外部ボックスに設けられた第２固定孔を固定し、前記第２外部ボックスを前記第１外部ボックスに締まりばめることとを含む第１ケーシングモジュールを組み立てる工程と、
対向する第２表面と複数のスロットを有し、前記各スロットがサーバーボックスへの接続に適する第１表面を含むバックプレーンモジュールを、前記第１外部ボックス内に組み立てる工程と、
前記バックプレーンモジュールの前記第２表面に電気的に接続される複数の電源供給ユニットを含む第２ケーシングモジュールを、前記第１外部ボックス内に組み立てる工程と、
を含む柔軟性モジュール化サーバーシャーシの組立方法。
【請求項７】
前記第１外部ボックスは、前記一方向に沿って配列する前記複数の第１固定孔を有する第１外側プレートを含み、前記第２外部ボックスは、前記第２固定孔を有する第２外側プレートを含む、請求項６に記載の柔軟性モジュール化サーバーシャーシの組立方法。
【請求項８】
前記第１ケーシングモジュールを組み立てる前記工程は、
内部ボックスを提供して、互いに固定した前記第１外側プレートと前記第２外側プレートを前記内部ボックスの外壁面に固設する工程を更に含む請求項７に記載の柔軟性モジュール化サーバーシャーシの組立方法。
【請求項９】
前記内部ボックスの内壁面が取り囲んで収容チャンネルを形成し、前記第１ケーシングモジュールを組み立てる前記工程は、
スライドレールを提供し、前記スライドレールを前記内部ボックスの内壁面に設け、前記サーバーボックスが前記収容チャンネルに沿って前記スライドレールにスライドして設けられる請求項８に記載の柔軟性モジュール化サーバーシャーシの組立方法。
【手続補正２】
【補正対象書類名】明細書
【補正対象項目名】全文
【補正方法】変更
【補正の内容】
【発明の詳細な説明】
【技術分野】
【０００１】
本発明は、サーバーシャーシ及びその組立方法に関し、特に、異なる長さのサーバーボックスを設けることができる柔軟性モジュール化サーバーシャーシ及びその組立方法に関する。
【背景技術】
【０００２】
現在、サーバーがますます幅広く適用されるようになり、企業又は家庭に関わらず、いずれもサーバーによって多量のファイルやビデオ情報を記憶することができる。従って、複数のサーバーの管理と配置は、無視できない問題となっている。従来、市販のサーバーの外観がボックスでもよいので、以下、サーバーボックスと呼ぶことにする。このサーバーボックスは、一般的に、一定の国際規格であり、例えば、１Ｕのサーバーボックスとは、１．７５インチの高さ及び１９インチの幅を有するものである。
【発明の概要】
【発明が解決しようとする課題】
【０００３】
しかしながら、従来の市場では、サーバーボックスの長さに対して、関連する規定がない。従って、様々なブランドのサーバーボックスでは、長さが異なる可能性がある。そして、異なる長さのサーバーボックスを収納するために、使用者は、各種の異なるサイズのサーバーシャーシを購買する必要があることがあるため、使用に不便である。
【課題を解決するための手段】
【０００４】
本発明の一技術態様は、１種のサーバーシャーシに複数種類のサーバーを搭載させることができる、長さ調整可能な柔軟性モジュール化サーバーシャーシ及びその組立方法に関する。
【０００５】
本発明の一実施例によれば、サーバーボックスを収納するための柔軟性モジュール化サーバーシャーシであって、一方向に沿って配列する複数の第１固定孔を有する第１外側プレートを含む第１外部ボックスと、第１外部ボックスと互いに締まりばめ、前記一方向に沿って第１外部ボックスに対して摺動でき、選択的に複数の第１固定孔の１つと互いに固定されることが可能である第２固定孔を有する第２外側プレートを含む第２外部ボックスを含む第１ケーシングモジュールと、第１外部ボックス内に設けられ、複数の電源供給ユニットを含む第２ケーシングモジュールと、第１外部ボックス内に設けられ、対向する複数のスロットを有する第１表面と第２ケーシングモジュールに向かい合い、電源供給ユニットに電気的に接続される第２表面を含むバックプレーンモジュールと、を含み、サーバーボックスは、第１ケーシングモジュール内に設けられ、複数のスロットの１つへのプラグインに適する柔軟性モジュール化サーバーシャーシを提供する。
【０００６】
本発明の更に別の実施例によれば、更に、第１外部ボックスを提供する工程と、一方向に沿って第１外部ボックスに対して摺動できる、第１外部ボックスに締まりばめるための第２外部ボックスを提供する工程と、を含む第１ケーシングモジュールを組み立てる工程と、対向する第１表面と複数のスロットを有し、各スロットがサーバーへの接続に適する第２表面を含むバックプレーンモジュールを第１外部ボックス内に組み立てる工程と、バックプレーンモジュールの第１表面に電気的に接続される複数の電源供給ユニットを含む第２ケーシングモジュールを第１外部ボックス内に組み立てる工程と、を含む柔軟性モジュール化サーバーシャーシの組立方法を提供する。
【０００７】
以上のように、前記の実施例によれば、柔軟性モジュール化サーバーシャーシの第１ケーシングモジュールは第１外部ボックス及び第２外部ボックスを含んでもよく、第１外部ボックスの第１外側プレートと第２外部ボックスの第２外側プレートを固定することによって、第１ケーシングモジュールの長さを調整して、更に各種の異なる長さのサーバーボックスを収納することができる。
【図面の簡単な説明】
【０００８】
下記の添付図面の説明は、本発明及びそのメリットをより分かりやすくするためのものである。
【図１】本発明の一実施例における柔軟性モジュール化サーバーシャーシとサーバーボックスを示す分解図である。
【図２】本発明の一実施例における第１ケーシングモジュールを示す分解図である。
【図３】本発明の別の実施例における柔軟性モジュール化サーバーシャーシとサーバーボックスを示す分解図である。
【図４】本発明の更に別の実施例における柔軟性モジュール化サーバーシャーシとサーバーボックスを示す分解図である。
【図５】本発明のまた他の実施例における第１ケーシングモジュールを示す分解図である。
【図６】本発明の柔軟性モジュール化サーバーシャーシの組立方法の一実施例を示すフローチャートである。
【図７】本発明の第１ケーシングモジュールの組立方法の一実施例を示すフローチャートである。
【発明を実施するための形態】
【０００９】
以下、図面で本発明の複数の実施例を開示し、明らかに説明するために、多くの実際の細部を下記の叙述で合わせて説明する。しかしながら、理解すべきなのは、これらの実際の細部が、本発明を制限するためのものではない。つまり、本発明の一部の実施例においては、これらの実際の細部は、必要ないものである。また、図面を簡略化するために、ある従来慣用の構造及び素子は、図面において簡単で模式的に示される。
【００１０】
以下の実施例において、サーバーボックスは、直方体であってもよく、その高さが一般的に一定である。例えば、１Ｕのサーバーボックスでは、高さが１．７５インチである。サーバーボックスは、異なる実施例において、幅及び長さが異なることがある。
【００１１】
以下の実施例における柔軟性モジュール化サーバーシャーシは、サーバーシャーシの２つの外部ボックスの接続する部位を切り替えることによって、異なる長さのサーバーボックスを収納することができる。図１を参照されたい。図１は、本発明の一実施例における柔軟性モジュール化サーバーシャーシ１０とサーバーボックス２０を示す分解図である。柔軟性モジュール化サーバーシャーシ１０は、複数のサーバーボックス２０を収納するためのものであり、第１ケーシングモジュール１００と、第２ケーシングモジュール３００と、バックプレーンモジュール２００と、を含む。
【００１２】
複数のサーバーボックス２０のそれぞれが高さＨ、幅Ｗ及び長さＬ１を有する直方体の形状であってもよい。複数の異なる実施例のそれぞれにおいて、高さＨがほぼ一定であるが、長さＬ１及び幅Ｗがメーカーによって変わる可能性がある。本実施例では、第１ケーシングモジュール１００の長さＬ２を調整できることで、第１ケーシングモジュール１００に異なる長さＬ１のサーバーボックス２０を収納させることができる。
【００１３】
図２を参照されたい。図２は、本発明の一実施例における第１ケーシングモジュール１００を示す分解図である。この分解図から、第１ケーシングモジュール１００の長さＬ２の調整方式を分かることが可能である。図面に示すように、第１ケーシングモジュール１００は、第１外部ボックス１０１と、第２外部ボックス１０２と、を含む。第１外部ボックス１０１は、それぞれがＸ方向に沿って配列可能な複数の第１固定孔１０１ｂを有する４つの第１外側プレート１０１ａを含んでもよい。前記Ｘ方向は、図１における長さＬ２の方向にほぼ平行である。
【００１４】
同様に、第２外部ボックス１０２は、４つの第２外側プレート１０２ａを含み、４つの第２外側プレート１０２ａのそれぞれが複数の第２固定孔１０２ｂを有し、それらの複数の第２固定孔１０２ｂの１つが選択的に１つの第１固定孔１０１ｂと互いに固定される。このように、第２外部ボックス１０２が第１外部ボックス１０１と互いに締まりばめることができる。また、第２外部ボックス１０２がＸ方向に沿って第１外部ボックス１０１に対して摺動して、第１固定孔１０１ｂと第２固定孔１０２ｂとのロック位置を切り替えることで、第１ケーシングモジュール１００の長さＬ２を変えることができる。
【００１５】
例えば、図２において、それぞれ５つの第１固定孔１０１ｂ及び５つの第２固定孔１０２ｂを含む。図２における第１外側プレート１０１ａの最も左側の第１固定孔１０１ｂと第２外側プレート１０２ａの最も右側の第２固定孔１０２ｂを互いに固定すると、最大長さの第１ケーシングモジュール１００を得ることができる。本実施例において、リベット１０７で第１固定孔１０１ｂ及び第２固定孔１０２ｂに差し込まれることによって、第１外側プレート１０１ａと第２外側プレート１０２ａをロックすることができるが、これに制限されない。他の実施例において、異なるロック部品によって第１外側プレート１０１ａと第２外側プレート１０２ａを固定することもできる。
【００１６】
図１と図２を併せて参照されたい。柔軟性モジュール化サーバーシャーシ１０は、第１外部ボックス１０１内に設けられることが可能であるバックプレーンモジュール２００を更に含む。バックプレーンモジュール２００は、対向する第１表面２０１と第２表面２０２を含む。第１表面２０１が第１ケーシングモジュール１００に向かい合ってもよく、第２表面２０２が第２ケーシングモジュール３００に向かい合ってもよい。第２ケーシングモジュール３００は、複数の電源供給ユニット３０１を含み、第２表面２０２が第２ケーシングモジュール３００の複数の電源供給ユニット３０１のそれぞれに電気的に接続されることができる。
【００１７】
図１を参照されたい。本実施例において、第１ケーシングモジュール１００の長さＬ２を確定してから、バックプレーンモジュール２００及び第２ケーシングモジュール３００を第１ケーシングモジュール１００の第１外部ボックス１０１内に設ける。バックプレーンモジュール２００の第１表面２０１に複数のスロット２１０を有し、バックプレーンモジュール２００の第１表面２０１が第１外部ボックス１０１に位置合わせて第１外部ボックス１０１内に設けられる。このように、サーバーボックス２０は、外部から第１ケーシングモジュール１００内に設けられる時、それぞれのサーバーボックス２０が複数のスロット２１０の１つにプラグインされることが可能で、且つ第２ケーシングモジュール３００がバックプレーンモジュール２００によってサーバーボックス２０に給電することができる。
【００１８】
図２を参照されたい。本実施例において、第１ケーシングモジュール１００は、内部ボックス１０３を更に含む。内部ボックス１０３が第１外部ボックス１０１及び第２外部ボックス１０２内に位置し、第１外部ボックス１０１の第１外側プレート１０１ａと第２外部ボックス１０２の第２外側プレート１０２ａが互いに固定された後（即ち、第１ケーシングモジュール１００の長さＬ２が確定された後）、第１外側プレート１０１ａと第２外側プレート１０２ａが内部ボックス１０３の外壁面１０３ａに固設されることができる。具体的に、互いに固定した第１外側プレート１０１ａと第２外側プレート１０２ａを内部ボックス１０３の外壁面１０３ａに固設するように、内部ボックス１０３の外壁面１０３ａにスナップイン機構又はロック機構等（図示せず）を有してもよい。
【００１９】
一部の実施例において、内部ボックス１０３の内壁面１０３ｂが取り囲んで収容チャンネルＰを形成することができ、サーバーボックス２０が収容チャンネルＰ内に設けられることができる。一実施例において、サーバーボックス２０の出入りに寄与するように、収容チャンネルＰの開口Ｐ１が矩形であってもよい。一変更実施例において、第１ケーシングモジュール１００は、複数のスライドレール１０４を更に含み、複数のスライドレール１０４のそれぞれが内部ボックス１０３の内壁面１０３ｂに設けられることが可能である。具体的に、内部ボックス１０３の内壁面１０３ｂは、係止溝（図示せず）を有してもよく、スライドレール１０４が係止溝にスライドして設けられることが可能である。別の変更実施例において、まず、スライドレール１０４を内部ボックス１０３の内壁面１０３ｂに設けてから、第１外側プレート１０１ａと第２外側プレート１０２ａを内部ボックス１０３の外壁面１０３ａに固設することが可能である。
【００２０】
図１と図２を併せて参照されたい。一実施例において、内部ボックス１０３は、Ｘ方向における長さＬ３が互いに固定した第１外側プレート１０１ａと第２外側プレート１０２ａとのＸ方向における合計長さＬ４より短い。具体的に、第１外側プレート１０１ａと第２外側プレート１０２ａとのＸ方向における合計長さＬ４は、第１ケーシングモジュール１００のＸ方向における長さＬ２に相当する。内部ボックス１０３の長さＬ３は、第２外側プレート１０２ａの長さＬ５に相当し、又はそれよりやや大きくなる。第２ケーシングモジュール３００とバックプレーンモジュール２００との合計長さＬ６にＬ７を足すと、合計長さＬ４から第２外側プレート１０２ａの長さＬ５を引くものに相当する。このように、バックプレーンモジュール２００、第２ケーシングモジュール３００及びサーバーボックス２０が第１ケーシングモジュール１００内に被覆されて、バックプレーンモジュール２００、第２ケーシングモジュール３００及びサーバーボックス２０内部における電子部品を保護することができる。
【００２１】
前記の実施例から、柔軟性モジュール化サーバーシャーシ１０は、少なくともスライドレール１０４、第１ケーシングモジュール１００、バックプレーンモジュール２００及び第２ケーシングモジュール３００という４つのモジュール化部品に分けられ、スライドレール１０４、バックプレーンモジュール２００及び第２ケーシングモジュール３００が第１ケーシングモジュール１００内に設けられ、異なる長さＬ１のサーバーボックス２０を収納するように、第１ケーシングモジュール１００の長さＬ２が調整可能であるように構成される。また、スライドレール１０４、バックプレーンモジュール２００及び第２ケーシングモジュール３００が実際の必要に応じて切り替えられると、新しいスライドレール１０４、バックプレーンモジュール２００又は第２ケーシングモジュール３００の長さが元のスライドレール１０４、バックプレーンモジュール２００又は第２ケーシングモジュール３００長さと異なる場合、依然として第１ケーシングモジュール１００の長さＬ２を調整することによって、新しいスライドレール１０４、バックプレーンモジュール２００又は第２ケーシングモジュール３００を収納することができる。
【００２２】
注意すべきなのは、前記実施例におけるスライドレール１０４は、サーバーボックス２０の実際の装着必要に応じて、内部ボックス１０３の内壁面１０３ｂの異なる位置に設けられることが可能である。例えば、図１を参照されたい。サーバーボックス２０が全幅横型のタイプに属すると、スライドレール１０４が内部ボックス１０３の内壁面１０３ｂにおける、方向Ｚに垂直である２つの壁面に設けられることができる。同時に、バックプレーンモジュール２００の複数のスロット２１０として、方向Ｚに並行する配列方式を選択することもできる。次に、図３を参照されたい。別の実施例において、サーバーボックス２０が縦型のタイプに属すると、スライドレール１０４が内部ボックス１０３の内壁面１０３ｂにおける、Ｙ方向に垂直である２つの壁面に設けられることができる。同時に、バックプレーンモジュール２００の複数のスロット２１０として、縦型のスロット２１０であるものを選択することもでき、その配列方式がＹ方向に平行である。次に、図４を参照されたい。別の実施例において、サーバーボックス２０が半幅横型のタイプに属すると、その幅Ｗが図１の実施例におけるサーバーボックス２０の約半分である。この場合、バックプレーンモジュール２００の複数のスロット２１０が２列の方向Ｚに平行である配列方式であってもよい。
【００２３】
上記実施例から、柔軟性モジュール化サーバーシャーシ１０をスライドレール１０４、第１ケーシングモジュール１００、バックプレーンモジュール２００及び第２ケーシングモジュール３００等の部品に分けることによって、柔軟性モジュール化サーバーシャーシ１０の使用柔軟性を増大させ、各種のサイズのサーバーボックスを収納することができる。
【００２４】
次に、図５を参照されたい。図５は、本発明の更に別の実施例における第１ケーシングモジュール４００を示す分解図である。本実施例が図１の実施例との最大の異なりは、本実施例における第１外部ボックス４０１と第２外部ボックス４０２が矩形の筐体であり、図１の実施例における第１外部ボックス１０１と第２外部ボックス１０２はそれぞれ４つの分離した第１外側プレート体１０１ａと第２外側プレート体１０２ａからなる。簡単に言えば、本実施例における第１外部ボックス４０１の第１外側プレート体４０１ａは、組み合せされた状態となり、第２外部ボックス４０２の第２外側プレート体４０２ａも組み合せされた状態となり、第１外側プレート体４０１ａ及び第２外側プレート体４０２ａが一体成形された矩形の筐体であってもよい。このように、使用者は、第２外側プレート体４０２ａを第１外側プレート体４０１ａに嵌め込んで、更にリベット１０７でロックを必要とする第１固定孔４０１ｂ及び第２固定孔４０２ｂを選択することによって、第１ケーシングモジュール４００の長さを調整する効果に達成することができる。
【００２５】
次に、図６を参照されたい。図６は、本発明の柔軟性モジュール化サーバーシャーシの組立方法の一実施例を示すフローチャートである。まず、第１ケーシングモジュールの長さを確定するように、先に第１ケーシングモジュールを組み立てる工程Ｓ１１を実行してもよい。図７に示す第１ケーシングモジュールの組立方法の一実施例のフローチャート、更に図２及び図５を併せて参照するように、第１ケーシングモジュールは、以下の組立工程を更に含む。まず、第１外部ボックス及び第２外部ボックスを提供する工程Ｓ１１１を実行する。図２に示すように、第１外部ボックス１０１は、複数の第１外側プレート１０１ａを含んでスプライシングしてなり、又は図５に示すように、第１外部ボックス４０１の第１外側プレート４０１ａが単一の矩形の筐体であってもよい。同様に、第２外部ボックス４０２は、１つ又は複数の第２外側プレート４０２ａを含んでもよい。第１外側プレート１０１又は４０１は、複数の第１固定孔１０１ａ又は４０１ａを含んでもよく、第２外側プレート１０２又は４０２は、少なくとも１つの第２固定孔１０２ａ又は４０２ａを含んでもよく、また、複数の第１固定孔１０１ａ又は４０１ａがＸ方向に沿って配列することができる。
【００２６】
次に、第１外部ボックスと第２外部ボックスを締まりばめる工程Ｓ１１２を実行する。詳しくは、図５を参照されたい。第２外部ボックス４０２は、Ｘ方向に沿って第１外部ボックス４０１に対して摺動して、第２固定孔４０２ａと複数の第１固定孔４０１ａの１つをロックすることによって第１ケーシングモジュール１００の長さＬ１を確定することができる。次に、内部ボックスを提供する工程Ｓ１１３を実行する。図１と図２を併せて参照されたい。内部ボックス１０３の内壁面１０３ａが取り囲んでサーバーボックス２０を収容するための収容チャンネルＰを形成することができる。次に、スライドレールを提供して、スライドレールを内部ボックスの内壁面に設ける工程Ｓ１１４を実行する。このように、サーバーボックスは、収容チャンネルに沿ってスライドレールにスライドして設けられることが可能である。次に、互いに固定した第１外側プレートと第２外側プレートを内部ボックスの外壁面に固設する工程Ｓ１１５を実行する。このように、図６の工程Ｓ１１の第１ケーシングモジュールの組立を完成することができる。
【００２７】
次に、図６を参照し続け、工程Ｓ１１を完成した後、バックプレーンモジュールを第１外部ボックス内に組み立てる工程Ｓ１２を実行してもよい。バックプレーンモジュールは、サーバーボックスによって切り替えられることができ、図１、図３及び図４に示すようなものを参照されたく、ここで説明を省略する。次に、第２ケーシングモジュールを第１外部ボックス内に組み立てる工程Ｓ１３を実行してもよい。第２ケーシングモジュールは、電力がバックプレーンモジュールによってサーバーボックスに伝達されることが可能である複数の電源供給ユニットを含んでもよい。最後、柔軟性モジュール化サーバーシャーシの組立を完成した後、使用者は、サーバーボックスを柔軟性モジュール化サーバーシャーシにおける収容チャンネルに装設することができる。
【００２８】
以上のように、上記実施例は、柔軟性モジュール化サーバーシャーシを、例えば第１ケーシングモジュール、第２ケーシングモジュール、バックプレーンモジュール及びスライドレール等のような複数のモジュール化された部品に分け、第１ケーシングモジュールの長さが調整可能であるため、各種の異なる長さサイズのサーバーボックスを収納することができるように構成する柔軟性モジュール化サーバーシャーシ及び柔軟性モジュール化サーバーシャーシの組立方法が開示される。また、前記実施例における柔軟性モジュール化サーバーシャーシは、装設されたサーバーボックスによって、モジュール化部品のそれぞれも実際の使用要求に応じて切り替えられることができ、異なるサーバーシャーシを追加して購入することなく、異なるサイズ又は仕様のサーバーボックスを収容し、使用上の利便性を備え、使用者の取得原価を節約することができる。
【００２９】
本発明を実施形態で前述の通り開示したが、これは本発明を限定するためのものではなく、当業者であれば、本発明の精神と範囲から逸脱しない限り、多様の変更や修正を加えることができる。従って、本発明の保護範囲は、特許請求の範囲で指定した内容を基準とする。
【符号の説明】
【００３０】
１０  柔軟性モジュール化サーバーシャーシ
２０  サーバーボックス
１００、４００  第１ケーシングモジュール
１０１、４０１  第１外部ボックス
１０１ａ、４０１ａ  第１外側プレート
１０１ｂ、４０１ｂ  第１固定孔
１０２、４０２  第２外部ボックス
１０２ａ、４０２ａ  第２外側プレート
１０２ｂ、４０２ｂ  第２固定孔
１０３  内部ボックス
１０３ａ  外壁面
１０３ｂ  内壁面
１０４  スライドレール
１０７  リベット
２００  バックプレーンモジュール
２０１  第１表面
２０２  第２表面
２１０  スロット
３００  第２ケーシングモジュール
３０１  電源供給ユニット
Ｈ  高さ
Ｗ  幅
Ｌ１、Ｌ２、Ｌ３、Ｌ４、Ｌ５、Ｌ６、Ｌ７  長さ
Ｐ  収容チャンネル
Ｐ１  開口
Ｘ、Ｙ、Ｚ  方向
Ｓ１１〜Ｓ１３、Ｓ１１１〜Ｓ１１４  工程流れ
【手続補正３】
【補正対象書類名】図面
【補正対象項目名】図５
【補正方法】変更
【補正の内容】
【図５】
2015177184.tif 000010